(57)【要約】【目的】足甲部領域と脛下半部領域におけるレース引出しストロークの低減、引出し操作力の軽減や操作時間の短縮が図られる甲脛独立固縛式シューズを提供する。【解決手段】足甲部領域５および脛下半部領域６においては、甲被９や脛被１９の開口左右縁の一方側の紐通し部に、第一固定部１０、第一引入れ部１１、第二引入れ部１２、第二固定部１３が爪先から足首に向けて並ぶように配置される。他方側の紐通し部に、第一固定部１０から来たレースを第一引入れ部１１に向かわせるためＵターンさせる第一転向部１４と、第二固定部１３から来たレースを第二引入れ部１２に向かわせるためＵターンさせる第二転向部１５とが、爪先から足首に向けて並ぶように配置される。第一引入れ部１１と第二引入れ部１２の間で各レースは連続し、その連続部の中間部位が引っ張られると、足甲部領域５および脛下部領域６が独立して固縛される。【選択図】図１
0003135943.tif 000002
【実用新案登録請求の範囲】
【請求項１】
足甲部領域から脛下部領域にわたって設けられる舌状開口を狭めて足甲部領域を縛る下部レースと脛下部領域を縛る上部レースとを備えた独立式固縛機構を有するシューズにおいて、
足甲部領域においては、甲被の開口左右縁の一方側の紐通し部に、第一固定部、第一引入れ部、第二引入れ部、第二固定部が爪先から足首に向けて並ぶように配置されるとともに、他方側の紐通し部に、前記第一固定部から来たレースを第一引入れ部に向かわせるためＵターンさせる第一転向部と前記第二固定部から来たレースを第二引入れ部に向かわせるためＵターンさせる第二転向部とが爪先から足首に向けて並ぶように配置された紐通しシステムが形成され、
前記脛下部領域においても、足甲部領域におけるものと同じ紐通しシステムが、脛被の開口縁に左右逆となるように形成され、
下部レースおよび上部レースはそれぞれ第一引入れ部と第二引入れ部間で連続し、その連続部の中間部位が引っ張られると、各領域の紐通しシステムを介して舌革と重なる舌状開口が狭められ、足甲部領域および脛下部領域を独立して緊縛できるようになっていることを特徴とする甲脛独立固縛式シューズ。
【請求項２】
前記第一転向部は、前記第一固定部から来たレースを第一引入れ部に向かわせる代わりに第二引入れ部に向かわせるためＵターンさせるものとされ、前記第二転向部は第二固定部から来たレースを第二引入れ部に向かわせる代わりに第一引入れ部に向かわせるためＵターンさせるものとなっていることを特徴とする請求項１に記載された甲脛独立固縛式シューズ。
【考案の詳細な説明】
【技術分野】
【０００１】
本考案は甲脛独立固縛式シューズに係り、詳しくは、シューズの前面部に設けられる舌状開口のうち下半部を狭めて足甲部領域を縛る下部レースと、舌状開口のうち上半部を狭めて脛下部領域を縛る上部レースとを備えたシューズに関するものである。
【背景技術】
【０００２】
シューズが紐結び式である場合、履き口を拡げることができかつ足を入れた後は一体感を増強できるように狭められる舌状開口がシューズの前面部に設けられる。舌状開口は内側から舌革があてがわれ、狭められるとはいえ隙間の残る舌状開口から異物が侵入するのを阻止したり、密着性を高めた着装感が得られるようにしている。例えばブーツの場合、その舌状開口は足甲から脛下半部に至るように形成される。
【０００３】
ところで、激しい動作を伴う運動シューズ例えばスノーボードブーツでは、舌状開口を狭めるべく足甲部においては左右の甲被の縁部に、脛下半部においては左右の脛被の縁部に幾つものアイレット（鳩目）が並べられ、レース（紐）を掛け渡して結ぶようにしている。そのレースが一本である場合は、足甲部側の前端にレースの中央部位を配し、アイレットに順次掛け渡して各端を脛下半部側の上端に至らせ、そこで引き出す量を加減して、所望する固縛力を得る。
【０００４】
アイレットを通過してＵターンするたびにレースの張り具合を見計らうことになるが、その回数は対向して位置するアイレットの対数Ｎに比例して多くなる。また、レースに緊張を与えてブーツを足にフィットさせるために縛りを強くすればレースの引出し量は長くなる。すなわち、一アイレット対で平均的にΔＳだけ縮めようとすると、引出し長さはΔＬ×Ｎとなる。結び目が大きくなったり余り部が垂れ下がるなどすると、往々にして邪魔となる。激しい運動をする場合には尚更である。さらには、足甲部側と脛下半部側とで固縛程度を違える操作は容易でなく、着用者の希望をかなえやすいとは言いがたい。
【０００５】
これらの難点を解消しようとしたものに、実用新案登録第３１１５６９４号公報に提案された固縛システムがある。これはレースを二本にして、一本は足甲部領域の縛り用に、他を脛下半部領域の縛り用に割り当て、結局一足で四本のレースを使用する。この場合、まず図７の（ａ）に示すように、足甲部領域５でも脛下半部領域６においても、固定端３１Ａ，３１Ｂから蛇行して各領域で左右の甲被９Ｌ，９Ｒまたは左右の脛被１９Ｌ，１９Ｒに掛け渡し、各他端に引き把手２１Ｒ，２１Ｌを設けたものとなっている。
【０００６】
詳しく述べれば、舌状開口７を大きく開いた状態で、足甲部領域５の第一レース３２には右甲被９Ｒの前端で第一固定部３１Ａを形成するアイレットの下で抜け止め結び３３が施され、アイレット３１Ａを出て舌状開口７を横切ると、左甲被９Ｌの前端に配置された第一Ｕターンガイド３４に導かれる。そのガイドから出たレースは、舌状開口７を逆方向に横切って右甲被９Ｒの中間に配置された第二Ｕターンガイド３５を通り、舌状開口７を再度横切って、左甲被９Ｌの後部に配置された第三Ｕターンガイド３６を通る。舌状開口７を再度横切って、右甲被９Ｒの後部に配置された潜入孔３７に入ると、履き口近くまで右甲被９Ｒから右脛被１９Ｒをたどる。レースはそれぞれの領域における被革と図示しないライニングとの間に設けられた通路３８を潜行し、レースロック２０Ｒを通過して被革外に出る。
【０００７】
脛下半部領域６においても、足甲部領域５の場合と同様に第二レース４１は固縛システムを形成するが、その配置は左右逆とされ、レースロック２０Ｌや引き把手２１Ｌを右側のそれらと独立して、しかし両手で同時に操作することができるようになっている。図７の（ｂ）の固縛状態を得るためには、引き把手２１Ｒ，２１Ｌはいずれも４×ΔＳ（ただし、ΔＳ＝ＳO −ＳS ）の引出しストロークが必要となる。引き出されてだぶつく部分は脛被１９Ｒ，１９Ｌとインナーブーツとの隙間に押し込むなどして垂れ下がらないようにされるが、長ければ煩わしい操作となる。また、引出し操作中は各レースがＵターンガイドの各三箇所で擦れることになり、固縛力を上げようとすると大きい操作力が必要で、女性や子供の力では縛り不足となる傾向にある。
【特許文献１】実用新案登録第３１１５６９４号公報
【考案の開示】
【考案が解決しようとする課題】
【０００８】
本考案は上記の問題に鑑みなされたもので、その目的は、足甲部領域と脛下半部領域におけるレース引出しストロークの低減、引出し操作力の軽減、ならびに操作時間の短縮を図ることができる二本レース型の甲脛独立固縛式シューズを提供することである。
【課題を解決するための手段】
【０００９】
本考案は、足甲部領域から脛下部領域にわたって設けられる舌状開口を狭めて足甲部領域を縛る下部レースと、脛下部領域を縛る上部レースとを備えた独立式固縛機構を有するシューズに適用される。その特徴とするところは、図１を参照して、足甲部領域５においては、甲被９の開口左右縁９Ｌ，９Ｒの一方側の紐通し部に、第一固定部１０、第一引入れ部１１、第二引入れ部１２および第二固定部１３が爪先から足首に向けて並ぶように配置されるとともに、他方側の紐通し部に、第一固定部１０から来たレースを第一引入れ部１１に向かわせるためＵターンさせる第一転向部１４と、第二固定部１３から来たレースを第二引入れ部１２に向かわせるためＵターンさせる第二転向部１５とが、爪先から足首に向けて並ぶように配置された紐通しシステムが形成される。脛下部領域６においても、足甲部領域５におけるものと同じ紐通しシステムが、脛被１９の開口縁１９Ｌ，１９Ｒに左右で逆となるように形成される。そして、下部レース１および上部レース２はそれぞれ第一引入れ部１１と第二引入れ部１２間で連続し、その連続部の中間部位が引っ張られると、各領域５，６の紐通しシステム３，４を介して舌革２２（図２を参照）と重なる舌状開口７が狭められ、足甲部領域５および脛下部領域６を独立して緊縛できるようになっている。
【００１０】
図６に示すように、第一転向部１４は、第一固定部１０から来たレースを第二引入れ部１２に向かわせるためＵターンさせるものとされ、第二転向部１５は第二固定部１３から来たレースを第一引入れ部１１に向かわせるためＵターンさせるようにしておいてもよい。
【考案の効果】
【００１１】
本考案によれば、足甲部領域における紐通しシステムの下部レースは、第一引入れ部と第二引入れ部間の連続部の中間部位を引っ張ることにより舌状開口の下半部を狭めて、脛下部領域での固縛とは独立して足甲部領域を縛ることができる一方、脛下半部領域における紐通しシステムの上部レースも、第一引入れ部と第二引入れ部間の連続部の中間部位を引っ張ることにより舌状開口の上半部を狭めて、足甲部領域での固縛とは独立して脛下半部領域を縛ることができるようになるので、各領域での掛け渡し数が同じの公知例に比べると引出し長さは同じでも引出しストロークが半減し、数が２／３に減ったＵターンガイドは引出し操作力をおおいに軽減する。引出しストロークの半減は履き動作に要する時間と履き口でのレースのだぶつきを減らし、操作力の軽減は履き動作を円滑にするとともにレースの消耗が抑制される。
【００１２】
第一転向部が第一固定部から来たレースを第一引入れ部に向かわすためＵターンさせ、第二転向部は第二固定部から来たレースを第二引入れ部に向かわすためＵターンさせるようになっているので、例えば足甲部領域という一つの領域内でも、爪先側と反爪先側での締め加減を違わせることもできるようになる。
【００１３】
第一転向部が第一固定部から来たレースを第二引入れ部に向かわすためＵターンさせ、第二転向部は第二固定部から来たレースを第一引入れ部に向かわすためＵターンさせるようになっていれば、例えば足甲部領域の爪先側から反爪先側にかけの縛り加減をひとまとまりにして面圧の均等化が図られやすくなる。
【考案を実施するための最良の形態】
【００１４】
以下に、本考案に係る甲脛独立固縛式シューズを、その実施の形態を表した図面に基づいて詳細に説明する。図１の（ａ），（ｂ）はレース（紐）１，２を一切交差させない態様の紐通しシステム３，４が採用された例の固縛前と固縛後のシューズ上面の延展平面図である。これは、足甲部領域５から脛下部領域６にわたって設けられる舌状開口７を狭めて足甲部領域５を縛る下部レース１と、脛下部領域６を縛る上部レース２とを備えた独立式固縛機構を有するスノーボードブーツ８の例となっている。
【００１５】
詳しく述べると、足甲部領域５においては、甲被９の開口右側縁９Ｒの紐通し部に、第一固定部１０、第一引入れ部１１、第二引入れ部１２、第二固定部１３が爪先から足首に向けて並ぶように配置されている。そして、左側縁９Ｌの紐通し部には第一固定部１０から来たレースを第一引入れ部１１に向かわせるためＵターンさせる第一転向部１４と第二固定部１３から来たレースを第二引入れ部１２に向かわせるためＵターンさせる第二転向部１５とが爪先から足首に向けて並ぶように配置されている。
【００１６】
上記の第一固定部１０と第二固定部１３とはアイレット（鳩目）であり、第一転向部１４と第二転向部１５とはＵターンガイドで、第一引入れ部１１と第二引入れ部１２は潜入孔となっている。なお、この例では各固定部１０，１３をアイレットとしているのは、レース端を通してから先端に結び目１６を施せば、レース端を簡単に固定しておくことができるからである。もちろん、アイレットに代えてレース端をクランプするバックルなど他の固定手段を採用することも可能である。いずれにしても、後で述べる紐通し操作の最後の処理を行うことになるレース端部の固定ができるようになっていればよい。
【００１７】
各転向部１４，１５はレース１をＵターンさせるガイドであり、レース先端を入れたり出したりすることができる開口とその間を繋ぐ通路とからなっている。その通路１７は、甲被９とその裏面に貼られる図示しないライニング（裏当て）との間に介装される半円状に曲げられた硬質プラスチックチューブであり、その両端の開口は潜入孔を形成する。なお、Ｕターンガイド１４，１５はレースを潜行させるチューブに代えて、図示しないが、甲被の外面に付設される断面が半円状のオープングルーブ（開放溝）であってもよい。グルーブ端が潜入孔に相当することになるが、通路自体はオープンであるからレースはグルーブ端から通す必要がなく、レースを曲げてグルーブ全体の円弧に沿わせるように嵌めこめばフッキングさせることができる。
【００１８】
なお、これまた図示しないが、ガイド端のみが輪状になっている形態のオープングルーブとしておくこともできる。レースを輪状端から通してレースを曲げ、グルーブ全体の円弧に沿わせるように嵌めこみ、他の輪状端から引出すことになる。いずれのＵターンガイドであっても足甲部領域５を縛る際にレース１と強く擦れるので、摺接部分の摩擦抵抗は可及的に少なくなるようにしておくことが好ましい。
【００１９】
上記した第一引入れ部１１と第二引入れ部１２とは、上記したように潜入孔となっている。この孔は、甲被９とその裏面のライニングとの間に確保されるトンネル通路１８の開口である。このトンネルも硬質プラスチックチューブとしておくが、第一引入れ部に連なるチューブも第二引入れ部に連なるチューブも、その反潜入孔側は甲被９とそのライニングとの間および脛被１９とそのライニングとの間をたどってレースロック２０の直近部に至ったところで開口し、レースをレースロックに送ることができるようにしている。レース１は第一引入れ部１１と第二引入れ部１２との間で連続し、その連続部の中間部位に引き把手２１が配置される恰好となる。把手２１Ｒを引っ張れば、足甲部領域５の紐通しシステム３が舌革２２（図２および図３を参照）と重なる舌状開口７を狭め、脛下部領域６での固縛操作とは独立して所望する強さで縛ることができる。
【００２０】
下部レース１は引き把手２１の内部でも連続しているから（図１の（ａ）を参照）、第一引入れ部側のレース１Ａと第二引入れ部側のレース１Ｂの手繰り寄せ可能量が違っていても、把手２１Ｒを図４のように引き上げるだけで、把手が手繰り寄せたレースの略中央にその都度位置しようとするから、同時に似た強さで引っ張ることができる。なお、第一引入れ部側のレース１Ａを第二引入れ部側のレース１Ｂより手繰り寄せる量を意図的に違えれば、足甲部領域５という一つの領域内でありながら、爪先側と反爪先側での締め加減を異ならせることができる。ちなみに、レースを第一引入れ部から引き把手に向かうレースと第二引入れ部から引き把手に向かうレースに分けておき（図示せず）、引き把手を潜らせてから相互の端部を結んでおくことも、引き把手操作に支障が生じさえしなければ許容される。
【００２１】
以上述べた足甲部領域５における下部レース１による紐通しシステム３と同様のシステム４が、図１ないし図３に明瞭に示されるように、左右逆となって脛下半部領域６にも適用される。すなわち、脛被１９の開口左側縁１９Ｌの紐通し部に、第一固定部１０、第一引入れ部１１、第二引入れ部１２、第二固定部１３が甲部つけ根から脛に沿って立ち上がるように並んで配置される。そして、右側縁１９Ｒの紐通し部には第一固定部１０から来たレースを第一引入れ部１１に向かわせるためＵターンさせる第一転向部１４と第二固定部１３から来たレースを第二引入れ部１２に向かわせるためＵターンさせる第二転向部１５も並べられる。このような状態は特に図２の正面矢視からも明確に把握される。
【００２２】
上記した構成によれば、図１の（ｂ）に着目して、足甲部領域５における紐通しシステム３では、第一引入れ部１１と第二引入れ部１２の間の下部レース１の連続部の中間部位に位置させた引き把手２１Ｒを引っ張れば、舌状開口７の下半部を狭めて、脛下半部領域６での固縛とは独立して足甲部領域５を縛ることができる。その一方、脛下半部領域６における紐通しシステム４では、第一引入れ部１１と第二引入れ部１２の間の上部レース２の連続部の中間部位に位置させた引き把手２１Ｌを引っ張ることにより舌状開口７の上半部を狭めて、足甲部領域５での固縛とは独立して脛下半部領域６を縛ることができる。
【００２３】
各領域での掛け渡し数が同じ図７の公知例に比べると、引出し長さは同じであっても二重引きとなるため引き把手のストロークが１／２となる。数が２／３に減ったＵターンガイドは、引出し操作力をその比率で軽減する。引出しストロークの半減は履き動作に要する時間と履き口２３（図３を参照）でのレースのだぶつきを少なくし、そして引き操作時の労力負担をおおいに軽減する。操作力の軽減は履き動作を円滑にするとともにレースの消耗を抑制する。また、引き把手に至るレース１Ａ，１Ｂは二重レースを形成するから、把手の引き操作時や固縛後の緊締状態において一本のレースに作用する負荷は半減し、滑走等の運動中にレースが破断する確率も著しく低くなる。
【００２４】
ところで、例えば下部レース１の爪先側のレースがいずれかの箇所で切れたとしても、反爪先側のレースはアイレット１３とレースロック２０とで固縛状態が保たれるから、足甲部領域５での縛りが一気に解放されることはなく、重大事故の発生を防止したり事故拡大を可及的に遅らせることができるようになる。
【００２５】
上記したごとく、足甲部領域５と脛下半部領域６のそれぞれにおいて、第一転向部１４が第一固定部１０から来たレースを第一引入れ部１１に向かわせるためＵターンさせ、第二転向部１５は第二固定部１３から来たレースを第二引入れ部１２に向かわせるためＵターンさせるようになっているから、着用者は引き把手２１Ｒ，２１Ｌを両手でそれぞれ握り、腰を伸ばすようにまたは上半身を立てるように挙動すれば（図４や図５の引き把手の位置を参照）、自ずと足甲部領域５と脛下半部領域６での固縛が達成される。
【００２６】
履き口２３の近くで垂れるレースは図３に示すように脛被１９の内側のインナーブーツ２４との隙間に入れ、引き把手２１は脛被１９の外面に設けた小さなポケット２５に押し込むなどすればよい。引き把手２１Ｒにおいてはレース１Ａ，１Ｂの手繰り寄せ量を違えて、また引き把手２１Ｌにおいてもレース２Ａ，２Ｂ（図５を参照）の手繰り寄せ量を違えてから把手を引けば、足甲部領域５内では爪先側と反爪先側での縛り加減を違わせ、脛下半部領域６内でも足首側と脛側での縛り加減を違わせることができる。
【００２７】
ブーツを脱ぐときはレースロック２０のネイル（図示せず）を撥ねるなどして開放状態にし、舌状開口７上のレースのいずれかの箇所を引き上げれば固縛が解除され、甲被９や脛被１９を拡げればインナーブーツ２４も弛み、簡単に足を抜くことができる。プルタブ２６をレースの途中に取りつけておけば、レースの引き上げは極めて容易となる。ちなみに、図中の符号２７は緊締ベルトで、履き口２３の近くの脚の保持を確実にしておくものである。
【００２８】
レースを新たに取りつけるときは、足甲部領域５を例にすれば、レースを引き把手２１Ｒに通した後略二つ折りにし、一方の端部に引入れピン（図示せず）を付けるなどして開放状態にしたレースロック２０（図１の（ａ）を参照）を通し、そのままトンネル通路１８を進行させて第一引入れ部１１の開口に到達させる。他方の端部にも引入れピンを付けるなどして開放状態にしたレースロック２０を通し、そのままトンネル通路１８を進行させて第二引入れ部１２の開口に到達させる。
【００２９】
第一引入れ部１１から出たレースは舌状開口７上を横切り第一Ｕターンガイド１４を経て第一固定部１０に至らせ、アイレットを通してから引入れピンを外し、その端部に結び目１６を施してアイレットから抜け出ないようにする。第二引入れ部１２から出たレースも舌状開口７上を横切り第二Ｕターンガイド１５を経て第二固定部１３に至らせ、アイレットを通してから端部を結び、アイレットから抜け出ないようにする。脛下半部領域６の上部レースも同様であり、紐通しが済めば引き把手を軽く引くだけで、レースに軽い緊張が与えられ、履き口２３（図３を参照）から足を入れられる安定した状態となる。
【００３０】
図６は、レースを交差させる態様の紐通しシステムが採用された例の固縛後のシューズ上面の延展平面図である。これも、足甲部領域５から脛下部領域６にわたって設けられる舌状開口７を狭めて足甲部領域５を縛る下部レース１と、脛下部領域６を縛る上部レース２とを備えた独立式固縛機構を有している。
【００３１】
詳しく述べると、足甲部領域５においては、甲被９の開口右側縁９Ｒの紐通し部に、第一固定部１０、第一引入れ部１１、第二引入れ部１２、第二固定部１３が爪先から足首に向けて並ぶように配置されている。そして、左側縁９Ｌの紐通し部には第一固定部１０から来たレースを第二引入れ部１２に向かわせるためＵターンさせる第一転向部１４と第二固定部１３から来たレースを第一引入れ部１１に向かわせるためＵターンさせる第二転向部１５とが爪先から足首に向けて並ぶように配置される。脛下半部領域６においても同様の形態でただし左右逆にした紐通しシステムが適用される。
【００３２】
このようにしておくと、足甲部領域５および脛下半部領域６のいずれにおいても交差するレースによって面的押さえ状態を生成させることができる。すなわち、足甲部領域５でクロスするレースが爪先側と反爪先側の両方もしくはその境界部分を押さえることになるから、足甲部領域５における面圧の均等化を図りやすくなる。脛下半部領域６においても同じであり、一つの領域で面圧の異なることを嫌う着用者にとっては都合がよく、また固縛操作も手っ取り早いものとなる。
【００３３】
図１のような紐掛けとするか図６のような紐掛けにするかは、一に着用者の好みによるが、本考案によれば、着用者に紐掛けの選択の余地を持たすことができる。このような紐掛けにバリエーションを与えることは、従来から存する例えば図７の構造では到底不可能である。いずれにしても、本考案においては、紐通しシステムの複雑化を招くことなく、足甲部領域の固縛と脛下半部領域での固縛を独立して行うことができ、そのうえきめ細かい処置や操作を施せ、着用者の要求にフレキシブルに応えられるシューズ（主としてブーツ形式の）とすることができる。
【００３４】
以上の説明においては、足甲部領域では、甲被の開口右縁の紐通し部に、第一固定部、第一引入れ部、第二引入れ部、第二固定部を並べたが（図１を参照）、開口左縁の紐通し部にそれらを配置し、開口右縁の紐通し部に、第一転向部と第二転向部とを配置するようにしてもよいことは言うまでもない。この場合、脛下半部領域においてはそれと左右逆とされるから、脛被の開口右縁の紐通し部に、第一固定部、第一引入れ部、第二引入れ部、第二固定部が並べられ、開口左縁の紐通し部に第一転向部と第二転向部とが配置されることになる。
【図面の簡単な説明】
【００３５】
【図１】本考案に係る甲脛独立固縛式シューズであってレース非交差型の場合の模式図で、（ａ）は固縛前の、（ｂ）は固縛後のブーツ上面の延展平面的な模式図。
【図２】足甲部領域と脛下半部領域のそれぞれに紐通しシステムを適用した左足用のスノーボードシューズの前面図。
【図３】紐通しシステムを適用したスノーボードシューズの斜視図。
【図４】紐通しシステムを適用した左足用のスノーボードシューズの外側面図。
【図５】紐通しシステムを適用した左足用のスノーボードシューズの内側面図。
【図６】レース交差型の場合の模式図で、固縛後のブーツ上面の延展平面図。
【図７】背景技術の項で説明した既存の足甲部領域・脛下半部領域独立固縛式シューズの模式図で、（ａ）は固縛前の、（ｂ）は固縛後のブーツ上面の延展平面的な模式図。
【符号の説明】
【００３６】
１，１Ａ，１Ｂ…下部レース、２…上部レース、３，４…紐通しシステム、５…足甲部領域、６…脛下部領域、７…舌状開口、９…甲被、９Ｌ，９Ｒ…甲被の開口左右縁、１０…第一固定部、１１…第一引入れ部、１２…第二引入れ部、１３…第二固定部、１４…第一転向部（Ｕターンガイド）、１５…第二転向部（Ｕターンガイド）、１９…脛被、１９Ｌ，１９Ｒ…脛被の開口左右縁、２２…舌革。
【図１】
0003135943.tif 000003
【図２】
0003135943.tif 000004
【図３】
0003135943.tif 000005
【図４】
0003135943.tif 000006
【図５】
0003135943.tif 000007
【図６】
0003135943.tif 000008
【図７】
0003135943.tif 000009